(57)【特許請求の範囲】
【請求項１】
シャーシを備える器具本体にランプおよびこのランプを覆うセードを取り付けてなる照明器具を包装箱内に収納する包装体において、
包装箱内に収納可能な平板状をなし、かつ一部に抜き穴が形成された位置決め緩衝材、および前記抜き穴内に嵌合して位置決め緩衝材の上面側に突出した筒状の本体押えを備え、前記器具本体のシャーシには前記本体押えの上部に嵌合可能な嵌合部が形成され、前記位置決め緩衝材の上に前記照明器具が配置してシャーシの嵌合部が本体押えの上部に嵌合し、この状態で位置決め緩衝材と共に照明器具が包装箱内に収納されており、
上面に設けられた引掛けシーリングに対する係合用の引掛け爪と、両側面に設けられ外周に向けて弾性的に突出する一対の係合爪とを有するアダプターが、前記本体押えの内側の空間内に、その本体押えの内面とアダプターの外側面との接触により安定した状態で収納されていることを特徴とする包装体。
【請求項２】
位置決め緩衝材は四角形の四隅を切欠除去した形状をなしていることを特徴とする請求項１に記載の包装体。
【発明の詳細な説明】
【０００１】
【発明の属する技術分野】
この発明は、照明器具の各部品を包装箱内に収納して包装する包装体に関する。
【０００２】
【従来の技術】
工場等で製造した照明器具は、その各部品を包装箱内に収納して包装し、この包装による荷姿で出荷している。図５には照明器具の各部品を包装する従来の包装体を示してある。この包装体で包装する照明器具は、器具本体１、ランプユニット２、セード３および器具取付用のアダプター４とで構成されている。
【０００３】
器具本体１は円形平板状をなす金属製のシャーシ５の表面に反射板６および係止具７を取り付けてなり、またランプユニット２はサイズの異なる３つの環形の蛍光ランプ８をランプホルダ９で結合してなる。セード３は透光性を有する合成樹脂により笠形状に形成され、そのほぼ全体が緩やかな球曲面状に湾曲している。
【０００４】
照明器具の使用時には、器具本体１の表面の反射板６にランプユニット２が装着され、さらにこのランプユニット２を覆うように器具本体１の表面側に係止具７を介してセード３が取り付けられるものである。
【０００５】
１２は段ボールで形成された位置決め緩衝材で、この位置決め緩衝材１２は底板１３と、この底板１３の周縁の上部に段ボールの折り曲げにより形成された起立壁１４とで構成されている。
【０００６】
また１５は段ボールで形成されたランプ押え、１６は段ボールにより偏平な箱形状に形成された包装箱で、この包装箱１６は一側面に開口部１７を有し、この開口部１７の各縁にそれぞれフラップ１８が設けられている。
【０００７】
照明器具を包装する際には、まず位置決め緩衝材１２における底板１３の上に器具本体１を配置し、この器具本体１を起立壁１４で係止して位置決めし、また反射板６の中央部に形成されている取付穴６ａ内にアダプター４を収納する。
【０００８】
そしてこの器具本体１にランプユニット２を装着し、このランプユニット２の上にランプ押え１５を載置し、さらにこのランプ押え１５の上にセード３を載置する。
【０００９】
このように、各部品を積層した後に、この積層体を包装箱１６内にその開口部１７から差し込んで収納し、この収納後に各フラップ１８を閉じ合わせて開口部１７を閉塞し、さらに包装箱１６の外周に締着テープ等を巻き掛けて梱包する。以上により照明器具の包装が完了する。
【００１０】
【発明が解決しようとする課題】
ところがこのような従来の包装体においては、位置決め緩衝材１２が段ボールの折り曲げ加工による起立壁１４を有する複雑な構造で、その起立壁１４に器具本体１の周縁を当接させて位置決めする構成であるため、包装の作業が面倒で手間がかかり、作業能率が低下し、また位置決め緩衝材１２の構造が複雑であるため包装コストが高くなる。
【００１１】
さらに、セード３が単にランプ押え１５の上に載置されているにすぎないため、輸送中の落下等で大きな衝撃を受けたときにセード３がずれ動いて損傷してしまう恐れがある。
【００１２】
この発明はこのような点に着目してなされたもので、その目的とするところは、簡単な構造の位置決め緩衝材を用いて、安価で容易にかつ確実に照明器具の器具本体を位置決めして安定した包装状態を得ることができる包装体を提供することにある。
【００１３】
【課題を解決ための手段】
この発明はこのような目的を達成するために、シャーシを備える器具本体にランプおよびこのランプを覆うセードを取り付けてなる照明器具を包装箱内に収納する包装体において、包装箱内に収納可能な平板状をなし、かつ一部に抜き穴が形成された位置決め緩衝材、および前記抜き穴内に嵌合して位置決め緩衝材の上面側に突出した筒状の本体押えを備え、前記器具本体のシャーシには前記本体押えの上部に嵌合可能な嵌合部が形成され、前記位置決め緩衝材の上に前記照明器具が配置してシャーシの嵌合部が本体押えの上部に嵌合し、この状態で位置決め緩衝材と共に照明器具が包装箱内に収納されており、上面に設けられた引掛けシーリングに対する係合用の引掛け爪と、両側面に設けられ外周に向けて弾性的に突出する一対の係合爪とを有するアダプターが、前記本体押えの内側の空間内に、その本体押えの内面とアダプターの外側面との接触により安定した状態で収納されていることを特徴とするものである。
【００１４】
位置決め緩衝材はその材料費の節約のために、四角形の四隅を切欠除去した形状とすることが可能である。
【００１５】
【発明の実施の形態】
以下、この発明の実施形態について図１ないし図４を参照して説明する。
図１および図２には、この発明の第１の実施形態による包装体を示してある。図１は照明器具の包装前の分解状態の斜視図で、図２は照明器具の包装後の断面図である。
【００１６】
図に示す２１は、段ボールにより偏平な箱形状に形成された包装箱で、この包装箱２１は図１に示すように一側面に開口部２２を有し、この開口部２２の各縁にそれぞれフラップ２３が設けられている。
【００１７】
２５は、複合両面段ボールや両面段ボール等の強度の高い段ボールで形成された単板状の位置決め緩衝材で、この位置決め緩衝材２５は例えば包装箱２１の平面形状に対応する四角形をなし、その中心部には円形の抜き穴２６が形成されている。
【００１８】
２８は本体押えで、この本体押え２８は外周の中間部に段部２９を有した段付きの円筒状をなし、その段部２９を境とする下半部が大径筒部３０、上半部が小径筒部３１となっている。そして大径筒部３０の下端の開口縁にはその外側に水平に延びるフランジ３２が一体に形成されている。
【００１９】
大径筒部３０の外径は、前記位置決め緩衝材２５における抜き穴２６の内径よりごく僅かに小さくなっており、また図３に示すように大径筒部３０と小径筒部３１との間の水平壁部３３にはその外周寄りに位置して凸部３４が環状に形成され、この凸部３４の外周側の側面が受け部３５となっている。なお、この本体押え２８は、焼却してもダイオキシンの原因となる物質を発することのない合成樹脂あるいは一定の剛性を有する紙を材料として形成されている。
【００２０】
包装状態においては、図２に示すように、本体押え２８は位置決め緩衝材２５における抜き穴２６内にその下方から挿入され、この挿入により大径筒部３０が抜き穴２６に蜜に嵌合する状態にある。そしてこの状態で位置決め緩衝材２５が包装箱２１内に収納配置される。
【００２１】
また、本体押え２８の内側の空間内には器具取付用のアダプター３８が予め収納される。このアダプター３８は図３に示すように、両側面に一対の係合爪３９を有しており、これら係合爪３９はスプリング（図示せず）によりその両側面から弾性的に突出するように付勢されている。そしてこれら係合爪３９をその付勢力に抗して没入させる操作ボタン４０がアダプター３８の下面に設けられている。
【００２２】
アダプター３８の上面には引掛けシーリングに対する係合用の引掛け爪４１が設けられていると共に、付属品としてその引掛け爪４１と係合可能な引掛けシーリング４２が添えられている。
【００２３】
照明器具を取り付ける室内の天井に既設の引掛けシーリングがある場合には、その既設の引掛けシーリングを用いるものであるが、天井に引掛けシーリングがない場合には、その付属品としての引掛けシーリング４２を用いて照明器具を天井に取り付けるものである。
【００２４】
４５は照明器具の器具本体で、この器具本体４５は金属製のシャーシ４６と、このシャーシ４６の表面に取り付けられた反射板４７とで構成されている。
また、５０はランプユニットで、このランプユニット５０はランプホルダ５１に複数、例えばサイズの異なる３つの環形の蛍光ランプ５２をそれぞれアーム５３を介して着脱可能に取り付けてなる。
【００２５】
そして器具本体４５の反射板４７には前記ランプホルダ５１の嵌合が可能な取付溝４８が形成され、この取付溝４８内にランプホルダ５１を嵌合してランプユニット５０を器具本体４５に取り付けることができるようになっている。
【００２６】
器具本体４５におけるシャーシ４６の中央部には、その内側に凹む凹部５５およびこの凹部５５の中央部に配置する取付口５６が形成され、これら凹部５５および取付口５６とにより前記本体押え２８の上部と嵌合可能な嵌合部５４が構成されている。そして前記取付口５６に対応して反射板４７に開口５７が形成され、この開口５７の内周に上下二段に亘って係止爪５８ａ，５８ｂが突出形成されている。
【００２７】
照明器具の使用時には、前記アダプター３８を引掛け爪４１を介して室内の天井に取り付ける。そして器具本体４５を反射板４７が下方を向く水平状態に保持すると共に、取付口５６を前記アダプター３８の外周に嵌合して押し込む。この押し込みにより前記いずれかの係止爪５８ａ，５８ｂがアダプター３８の係合爪３９に弾性的に係合し、この係合により器具本体４５がアダプター３８と結合して室内の天井に固定されるものである。
【００２８】
シャーシ４６に形成された凹部５５の内周は、前記本体押え２８に形成された受け部３５に対応する傾斜部５９となっている。そして凹部５５と取付口５６とで構成されたシャーシ４６の嵌合部５４を本体押え２８の上部に嵌合することにより器具本体４５が水平に支持されるようになっている。
【００２９】
この支持状態においては、シャーシ４６の凹部５５の傾斜部５９が本体押え２８の受け部３５の上に重なって嵌合すると共に、本体押え２８の小径筒部３１がシャーシ４６の取付口５６および反射板４７の開口５７に嵌合し、この小径筒部３１の周面が係止爪５８ａ，５８ｂの先端縁に接触する。
６３はランプ押えで、このランプ押え６３は段ボールにより矩形の枠状に形成され、その長手方向に沿う側壁の下端縁にはランプユニット５０における各蛍光ランプ５２に対応する逆Ｕ字状の切欠溝６４が形成され、また長手方向に沿う側壁の上端縁は円弧状に湾曲する保持部６５となっている。
【００３０】
このランプ押え６３は前記反射板４７の上に載置するもので、この載置により各切欠溝６４が各蛍光ランプ５２の外周に嵌合し、この嵌合で各蛍光ランプ５２が定位置に保持される。
【００３１】
６８は透光性を有する合成樹脂で形成されたセードで、このセード６８は前記ランプ押え６３の上に載置するもので、その載置時にはセード６８がランプ押え６３の上端縁の湾曲した保持部６５を介して安定して支持される。
【００３２】
器具本体４５におけるシャーシ４６の周縁の均等的な例えば３箇所には係止具６９が取り付けられ、これら係止具６９を介してセード６８の周縁部が着脱可能に係止され、この係止によりシャーシ４６に対してセード６８が一体的に結合されて位置決めされる。なお、７０はセード６８の外周部に取り付けられた飾り枠である。
【００３３】
次に、照明器具を包装するときの手順について説明する。
まず、位置決め緩衝材２５の抜き穴２６内にその下方から本体押え２８を挿入して位置決め緩衝材２５に本体押え２８を取り付ける。次に、器具本体４５の反射板４７にランプユニット５０を取り付け、この器具本体４５を前記位置決め緩衝材２５の上に配置し、シャーシ４６の嵌合部５４を位置決め緩衝材２５の上面から突出した本体押え２８の上部に嵌合し、その嵌合部５４における傾斜部５９を本体押え２８の受け部３５に当接させると共に、取付口５６を本体押え２８の小径筒部３１の外周に嵌め込む。なお、この際、位置決め緩衝材２５とシャーシ４６との間にスポンジ６０を介在させる。
【００３４】
この後、反射板４７の上にランプ押え６３を載置し、各切欠溝６４を各蛍光ランプ５２の外周に嵌合して位置決めする。そしてこのランプ押え６３の上にセード６８を載置し、このセード６８の周縁をシャーシ４６の係止具６９に掛け止めて固定する。
【００３５】
このように位置決め緩衝材２５の上に照明器具の各部品を組み合わせた後に、本体押え２８の内側の空間内にアダプター３８を収納し、この状態で位置決め緩衝材２５を包装箱２１の開口部２２からその内部に挿入し、この挿入後に各フラップ２３を閉じ合わせ、さらに包装箱２１の外周に締着テープ等を巻き掛けて梱包する。これにより照明器具の包装が完了する。
【００３６】
このような包装構造においては、位置決め緩衝材２５がその周縁と包装箱２１の内周壁との当接で定位置に固定され、またこの位置決め緩衝材２５の抜き穴２６に嵌合した本体押え２８がその嵌合で定位置に固定される。そして器具本体４５はシャーシ４６の嵌合部５４と本体押え２８との嵌合で定位置に固定され、またセード６８はシャーシ４６に係止具６９を介して係止されているから、器具本体４５と共に定位置に固定される。
【００３７】
このようにして照明器具は安定した状態に包装される。そしてこの包装された照明器具の上下方向の荷重は、シャーシ４６における凹部５５の傾斜部５９と本体押え２８の受け部３５との当接で安定して受け止められ、また水平方向の荷重は、シャーシ４６の取付口５６と本体押え２８の小径筒部３１との嵌合で安定して受け止められる。
【００３８】
さらに、セード６８は係止具６９を介してシャーシ４６に固定されており、このため外部から衝撃が加わったときのずれ動きが位置決め緩衝材２５および本体押え２８を介して確実に抑えられ、したがってセード６８の周縁と包装箱２１の内壁との間の余裕の寸法を小さくしてもセード６８の損傷を防止することができる。
【００３９】
アダプター３８は本体押え２８の内側の空間を利用して収納されており、このためその収納の専用空間を確保する必要がなく、またアダプター３８が本体押え２８の内側の空間内に安定して収まるから、そのアダプター３８を粘着テープ等で止め付けるような面倒で煩わしい作業が不要である。
【００４０】
一方、照明器具の包装に当っては、平板状の位置決め緩衝材２５に本体押え２８を取り付け、この本体押え２８の上部にシャーシ４６の嵌合部５４を嵌合すれば器具本体４５を的確に位置決めでき、またセード６８は係止具６９を介してシャーシ４６に係止すれば的確に位置決めでき、したがってその包装の作業を容易に能率よく行なうことができる。そして位置決め緩衝材２５は単なる段ボール製の平板からなる簡単な構造であるから安価に製作でき、包装コストを低減することができる。
【００４１】
図４にはこの発明の第２の実施形態を示してあり、この実施形態においては器具本体４５のシャーシ４６およびセード６８がそれぞれ四角形に形成されている。そして平板状をなす段ボール製の位置決め緩衝材２５には２つの抜き穴２６ａ，２６ｂが形成されていると共に、その各抜き穴２６ａ，２６ｂに対応する２つの本体押え２８ａ，２８ｂが設けられている。さらにシャーシ４６には、前記本体押え２８ａ，２８ｂの上部に嵌合可能な嵌合部として、２つの透孔５４ａ，５４ｂが形成されている。
【００４２】
包装に際しては、まず位置決め緩衝材２５の各抜き穴２６ａ，２６ｂ内にその下方から各本体押え２８ａ，２８ｂを挿入して突出させる。次に、器具本体４５の反射板４７にランプユニット５０を取り付け、この器具本体４５を前記位置決め緩衝材２５の上に配置し、シャーシ４６の各透孔５４ａ，５４ｂを本体押え２８ａ，２８ｂの上部に嵌合して位置決めする。
【００４３】
この後、反射板４７の上にランプ押え６３を載置し、各切欠溝６４を各蛍光ランプ５２の外周に嵌合して位置決めする。そしてこのランプ押え６３の上にセード６８を載置し、このセード６８の周縁をシャーシ４６の係止具６９に掛け止めて固定する。
【００４４】
このように位置決め緩衝材２５の上に照明器具の各部品を組み合わせた後に、これを包装箱２１の開口部２２からその内部に挿入し、この挿入後に各フラップ２３を閉じ合わせ、さらに包装箱２１の外周に締着テープ等を巻き掛けて梱包するようにしたものである。
【００４５】
このような構成においても前記第１の実施形態と同様に、簡単な構造で器具本体を確実に位置決めして照明器具を安定した状態に包装することができる。
なお、前記各実施形態においては、位置決め緩衝材２５を包装箱２１の平面形状に対応する四角形としたが、材料費を節減するために、その四角形の四隅を切欠して八角形としたり十字形とすることも可能であり、要はこの位置決め緩衝材２５は包装箱２１の内周各壁に接する縁部を有する形状であればいかなる形状であっても差し支えない。
【００４６】
【発明の効果】
以上説明したようにこの発明によれば、簡単な構造の位置決め緩衝材を用いて、安価で容易にかつ確実に器具本体を位置決めして安定した状態に照明器具を包装することができる。そして、器具本体を支持する本体押えの内側の空間を有効に利用するとともに安定した状態でアダプターを収納することができ、また請求項２の発明においては位置決め緩衝材の材料費を節約することができる。
【図面の簡単な説明】
【図１】  この発明の第１の実施形態に係る包装体の分解状態の斜視図。
【図２】  その包装体の包装構造を示す断面図。
【図３】  その包装体における本体押えの断面図。
【図４】  この発明の第２の実施形態に係る包装体の分解状態の斜視図。
【図５】  従来の包装体の分解状態の斜視図。
【符号の説明】
２１…包装箱
２５…位置決め緩衝材
２６…抜き穴
２８…本体押え
３８…アダプター
４５…器具本体
４６…シャーシ
４７…反射板
５０…ランプユニット
５４…嵌合部
５５…凹部
５６…取付口
６３…ランプ押え
６８…セード
【図１】
0003982067.tif 000002
【図２】
0003982067.tif 000003
【図３】
0003982067.tif 000004
【図４】
0003982067.tif 000005
【図５】
0003982067.tif 000006